(57)【要約】【課題】液晶の配向方向を確実に設定する。【解決手段】表示電極１２と、対向電極３２との間に液晶２０が配置される。そして、対向電極３２上には、絶縁膜３４を介し配向制御電極３６が設けられる。この配向制御電極３６は、１画素に１つずつ所定のパターンで形成され、対向電極３２とは異なった電圧に維持される。特に、表示電極１２に印加される電圧の極性に応じて対向電極３２に対する極性が制御されることが好ましい。このようにして、配向制御電極３６と、対向電極３２との間に適当な電界が形成され、これによって液晶２０の配向方向が制御される。【選択図】図２
2007033575.tif 000002
【特許請求の範囲】
【請求項１】
表示電極と、
この表示電極に対向して配置される対向電極と、
表示電極と対向電極間に配置され、表示電極と対向電極間に印加される電圧によって、光学的特性が制御される液晶と、
前記表示電極および対向電極とは、独立して電位が制御され、前記液晶の配向を制御する配向制御電極と、
を有することを特徴とする液晶表示装置。
【請求項２】
請求項１に記載の液晶表示装置において、
前記配向制御電極の電位をＶａ、前記対向電極の電位をＶｃ、前記表示電極の電位をＶｐとした時に、下記（ｉ）、（ｉｉ）の関係を有することを特徴とする液晶表示装置。
（ｉ）（Ｖｐ−Ｖｃ）と（Ｖｐ−Ｖａ）の符号は同じ
（ｉｉ）｜（Ｖｐ−Ｖｃ）｜＞｜（Ｖｐ−Ｖａ）｜
【請求項３】
請求項１または２に記載の液晶表示装置において、
前記制御電圧は、液晶の光学的特性変化の閾値電圧以下の電圧であることを特徴とする液晶表示装置。
【請求項４】
請求項１に記載の液晶表示装置において、
前記配向制御電極の電位をＶａ、前記対向電極の電位をＶｃ、前記表示電極の電位をＶｐとした時に、下記（ｉ）の関係を有することを特徴とする液晶表示装置。
（ｉ）（Ｖｐ−Ｖｃ）と（Ｖｐ−Ｖａ）の符号は反対
【請求項５】
請求項１〜４に記載の液晶表示装置において、
前記表示電極および対向電極の前記液晶と接する面側には、ラビングレスで前記液晶を垂直方向に配向させる配向膜が設けられており、前記液晶はＶＡ（Virtical Alignment）液晶であることを特徴とする液晶表示装置。
【請求項６】
請求項１〜５のいずれか１つに記載の液晶表示装置において、
前記配向制御電極は、前記対向電極の前記液晶表面上に絶縁膜を介して形成されることを特徴とする液晶表示装置。
【請求項７】
請求項１〜５のいずれか１つに記載の液晶表示装置において、
前記配向制御電極は、前記対向電極の前記液晶とは反対表面上に絶縁膜を介して形成されることを特徴とする液晶表示装置。
【請求項８】
請求項１〜７のいずれか１つに記載の液晶表示装置において、
マトリクス配置された画素毎に表示電極および配向制御電極が設けられ、隣接する２行の画素の配向制御電極について、一方の行の１つおきの画素の配向制御電極と、他方の行の行方向に１画素分ずれた１つおきの画素の配向制御電極とを接続し、これを第１の参照電圧源に接続し、
列方向に１行分ずれた隣接する２行について第１の参照電源に接続されていない１つおきの画素の配向制御電極と、もう１つの行の行方向に１画素分ずれた１つおきの画素の配向制御電極とを接続し、これを第２の参照電圧源に接続し、
これを繰り返すことで、行方向および列方向において隣接する画素の配向制御電極が第１または第２の参照電圧源のいずれか一方に順次接続されることを特徴とする液晶表示装置。
【請求項９】
請求項８に記載の液晶表示装置において、
前記表示電極に印加する電圧の対向電極に対する極性は、行方向の画素毎に反転されるドット反転方式であることを特徴とする液晶表示装置。
【発明の詳細な説明】
【技術分野】
【０００１】
本件は、液晶の配向を制御するための配向制御電極を有する液晶表示装置に関する。
【背景技術】
【０００２】
従来より、フラットパネルディスプレイの代表的なものとして液晶表示装置（ＬＣＤ）が広く普及している。この液晶表示装置に利用される液晶には、ＴＮ（ツイスト・ネマティック）タイプ、ＳＴＮ（スーパー・ツイスト・ネマティック）タイプ、ＶＡ（垂直配向）タイプ等各種のものがある。
【０００３】
ここで、ＶＡタイプの液晶を利用した液晶表示装置には、液晶の配向方向を分割させる配向制御手段を有するものがある。この配向制御手段には、表示電極に対向し、表示電極と共に液晶を駆動させる対向電極を開口することによって形成される配向制御窓や、少なくとも表示電極または対向電極のいずれか一方に隆起を設けることによって形成される配向制御傾斜部、さらにこれらの配向制御窓と配向制御傾斜部とを組み合わせたものがあり、例えば、特許文献１、２に開示されている。これらの配向制御手段は、各表示電極及び対向電極で形成される電界をそれぞれ分割することにより、各表示電極における液晶の配向方向を分割し、これによって広視野角の表示を実現している。
【発明の開示】
【発明が解決しようとする課題】
【０００４】
上記のような配向制御手段を有する垂直配向型液晶表示装置は、垂直配向膜にラビング処理を施す必要がなく、製造工程を省略することができるというメリットを有する。しかし、一般的に、このような液晶表示装置は、配向膜にラビングを施して液晶の配向方向を制御する他の液晶表示装置に比較して、液晶の配向方向を制御する力が弱いという問題がある。
【０００５】
また、配向制御窓や配向制御傾斜部は、比較的大きな面積を必要とするため、開口率が小さくなるという問題もあった。
【０００６】
なお、表示電極上に配向制御電極を設けることについては特許文献３に記載がある。
【０００７】
【特許文献１】特開平１２−２１４４６４号公報
【特許文献２】特許第３００５４１８号公報
【特許文献３】特開平７−１３１６４号公報
【課題を解決するための手段】
【０００８】
本発明は、表示電極と、この表示電極に対向して配置される対向電極と、表示電極と対向電極間に配置され、光学的特性が制御される液晶と、前記表示電極および対向電極とは、独立して電位が制御され、前記液晶の配向を制御する配向制御電極と、を有することを特徴とする。
【０００９】
また、前記配向制御電極の電位をＶａ、前記対向電極の電位をＶｃ、前記表示電極の電位をＶｐとした時に、下記（ｉ）、（ｉｉ）の関係を有することが好適である。ここで、（ｉ）（Ｖｐ−Ｖｃ）と（Ｖｐ−Ｖａ）の符号は同じ、（ｉｉ）｜（Ｖｐ−Ｖｃ）｜＞｜（Ｖｐ−Ｖａ）｜である。
【００１０】
また、前記制御電圧は、液晶の光学的特性変化の閾値電圧以下の電圧であることが好適である。
【００１１】
また、前記配向制御電極の電位をＶａ、前記対向電極の電位をＶｃ、前記表示電極の電位をＶｐとした時に、下記（ｉ）の関係を有することが好適である。ここで、（ｉ）（Ｖｐ−Ｖｃ）と（Ｖｐ−Ｖａ）の符号は反対である。
【００１２】
また、前記表示電極および対向電極の前記液晶と接する面側には、ラビングレスで前記液晶を垂直方向に配向させる配向膜が設けられており、前記液晶はＶＡ（Virtical Alignment）液晶であることが好適である。
【００１３】
また、前記配向制御電極は、前記対向電極の前記液晶表面上に絶縁膜を介して形成されることが好適である。
【００１４】
また、前記配向制御電極は、前記対向電極の前記液晶とは反対表面上に絶縁膜を介して形成されることが好適である。
【００１５】
また、マトリクス配置された画素毎に表示電極および配向制御電極が設けられ、隣接する２行の画素の配向制御電極について、一方の行の１つおきの画素の配向制御電極と、他方の行の行方向に１画素分ずれた１つおきの画素の配向制御電極とを接続し、これを第１の参照電圧源に接続し、列方向に１行分ずれた隣接する２行について第１の参照電源に接続されていない１つおきの画素の配向制御電極と、もう１つの行の行方向に1画素分ずれた１つおきの画素の配向制御電極とを接続し、これを第２の参照電圧源に接続し、これを繰り返すことで、行方向および列方向において隣接する画素の配向制御電極が第１または第２の参照電圧源のいずれか一方に順次接続されることが好適である。
【００１６】
また、前記表示電極に印加する電圧の対向電極に対する極性は、行方向の画素毎に反転されるドット反転方式であることが好適である。
【発明の効果】
【００１７】
このように、本発明によれば、配向制御電極を設けており、この配向制御電極の電圧を適切に設定するので、液晶の配向方向（方位）を確実に制御することができる。そこで、ＶＡタイプの液晶などにおいて、適切な配向方向の設定を行うことができる。また、配向制御電極は、小さくてよい。従って、配向制御窓や配向制御傾斜部を設ける場合に比べ、高開口率にでき、高精細の表示が可能になる。
【発明を実施するための最良の形態】
【００１８】
以下、本発明の実施形態について、図面に基づいて説明する。
【００１９】
図１は、実施形態に係る液晶表示装置における配向制御電極の平面パターンを示す図であり、図２は、図１におけるＡ−Ａ断面図である。なお、偏光板などについては図示を省略している。
【００２０】
図２に示すように、ＴＦＴ基板１０上に画素毎に表示電極１２が形成されている。なお、ＴＦＴ基板１０は、画素毎にデータラインから供給される当該画素についてのデータ電圧を取り入れ、このデータ電圧を容量に保持して、表示電極１２に印加する画素回路を有している。例えば、ガラス基板上に形成された低温ポリシリコンなどを能動層とするスイッチングＴＦＴを形成し、このスイッチングＴＦＴをデータラインからのデータ電圧の取り込み制御用とする。そして、このスイッチングＴＦＴを介し、データラインから供給されるデータ電圧を容量に保持して、この保持した電圧を表示電極１２に印加する。
【００２１】
表示電極１２は、例えばＩＴＯ（Ｉｎｄｉｕｍ  Ｔｉｎ  Ｏｘｉｄｅ）等からなる透明電極である。ＴＦＴ基板１０の下方に配置されたバックライトからの光を観察側に放出できるようになっている。
【００２２】
表示電極１２の表面およびＴＦＴ基板１０の表面を覆って、ポリイミドなどからなる配向膜１４が形成される。この配向膜１４は、ラビングレスであり、液晶を垂直方向に配向させる。
【００２３】
表示電極１２が形成されたＴＦＴ基板１０にＶＡタイプの液晶２０を介し、対向基板３０が配置される。この対向基板３０の液晶２０側表面には、ＩＴＯなどの透明導電材料から構成される対向電極３２が形成される。この対向電極３２は、全画素共通に対向基板３０のほぼ全面に形成される。
【００２４】
さらに、この対向電極３２上には、絶縁膜３４を介し、配向制御電極３６が形成される。絶縁膜３４は、無機のＳｉＯ2、ＳｉＮや、有機のアクリル樹脂などどのような絶縁材料から構成してもよい。また、配向制御電極は、ＩＴＯなどの透明導電材料でもよいが、アルミニウムなどの金属材料で構成してもよい。そして、この配向制御電極３６および対向電極３２を覆って、配向膜３８が形成される。この配向膜３８も、上述の配向膜１４と同様のラビングレスの垂直配向膜である。
【００２５】
なお、液晶表示装置は、透過型、反射型、半透過型のいずれでもよい。反射型であれば、表示電極１２をアルミニウムなどの金属で形成し、対向基板側から入射してくる光を表示電極１２で反射すればよい。また、表示電極の背面側にアルミニウムなどの反射膜を配置し、透明の表示電極１２を通過してくる光を反射してもよい。さらに、半透過型であれば、反射部分にのみ反射膜を配置すればよい。
【００２６】
本実施形態においては、上述のように、液晶２０は、ＶＡタイプのものが採用されており、ノーマリブラックとして使用される。また、液晶２０は、配向膜１４、３８によって、基本的に垂直方向に配向するが、配向制御電極３６によって、その配向方向が制御される。
【００２７】
絶縁膜３４および配向制御電極３６は、図１に示すように、Ｙ字型と逆Ｙ字型を上下方向に接続した、上下両方に２股の脚が伸びたような形状をしている。そして、接続配線によって配向制御電極３６は、２つのグループに分けられ、１つのグループは、参照電圧ライン４０ａ、もう１つのグループは参照電圧ライン４０ｂに接続されている。
【００２８】
例えば、図１においては、便宜的に横１１，縦４の計４４の画素を表している。左上の画素を（１，１）、右下の画素を（１１，４）とすると、画素（１，１）における配向制御電極３６は、その左下隅が参照電圧ライン４０ａに接続され、右下隅が画素（２，２）の配向制御電極３６の左上隅に接続される。画素（２，２）の配向制御電極３６の右上隅は、画素（１，３）の配向制御電極３６の左下隅に接続される。このようにして、１行目の画素における奇数番目の画素の配向制御電極３６が、２行目の画素における偶数番目の画素の配向制御電極３６に接続される。そして、２行目の画素における奇数番目の画素の配向制御電極３６は、３行目の画素の偶数番目の画素の配向制御電極３６に接続され、このような接続が繰り返される。
【００２９】
ここで、このような配向制御電極３６のグループ分けを行うのは、極性反転の方式としてドット反転方式を採用するからである。
【００３０】
例えば、対向電極３２の電圧を一定電圧Ｖｃとしておき、Ｖｃに対して行方向の各画素に供給するデータ電圧の極性を反転する。例えば、図４に示すように、行方向の各画素の電圧（Ｖｐ−Ｖｃ）を交互に正、負とする。一方、配向制御電極３６の電圧（Ｖａ−Ｖｃ）は、表示電極１２に（Ｖｐ−Ｖｃ）が正で書き込まれる画素については正、表示電極１２に（Ｖｐ−Ｖｃ）が負で書き込まれる画素については負とする。これは、第１の参照電圧ライン４０ａについて（Ｖａ−Ｖｃ）を正、第２の参照電圧ライン４０ｂについて（Ｖａ−Ｖｃ）を負に設定することで、達成される。
【００３１】
このように、参照電圧ライン４０ａ、４０ｂについては、例えば奇数フレームにおいて（Ｖａ−Ｖｃ）を正、負とし、偶数フレームについて反対に負、正という風にフレーム毎に反転する。これによって、平面的に見てドット毎にデータ電圧の極性が反転され、１つのドットについては、１フレームごとにデータ電圧の極性が反転されるドット反転形式の表示制御が行える。
【００３２】
例えば、次のような関係を満足するように電圧を設定する。
［数１］
（ｉ）（Ｖｐ−Ｖｃ）と（Ｖｐ−Ｖａ）の符号は同じ。
（ｉｉ）｜（Ｖｐ−Ｖｃ）｜＞｜（Ｖｐ−Ｖａ）｜
【００３３】
例えば、（Ｖｐ−Ｖｃ）は、黒表示１．５Ｖ、白表示４．５Ｖで、表示する画像によって変化し、（Ｖｐ−Ｖｃ）が正の時（Ｖａ−Ｖｃ）は＋１Ｖ、（Ｖｐ−Ｖｃ）が負の時、（Ｖａ−Ｖｃ）は−１Ｖである。これによって、液晶２０は配向制御電極３６のエッジから発生する電界に応じて液晶２０の配向を制御することができる。すなわち、配向制御電極３６のエッジから対向電極３２に向けて電界が生じ、この電界に応じて液晶２０が配向する。ＶＡ液晶の場合、電気力線に直角な方向に液晶分子が配向する。この様子をシミュレーションにより求めたのが図９である。ここで、図中の線は等電位面で電界とは直交している。すなわち、液晶は同電位面に平行になる。また、この例では、シミュレーションであるため、対向電極３２の一部の電圧を変更して配向制御電極３６としている。また、図９（Ａ）は、中央の表示電極１２の電圧Ｖｐ＝−４．５Ｖの状態を示し、図９（Ｂ）は、中央の表示電極１２の電圧Ｖｐ＝＋４．５Ｖの状態を示している。
【００３４】
なお、このシミュレーションに対応するように、対向電極３２に開口を設け、この開口中に配向制御電極３６を配置してもよい。この場合、配向制御電極３６と対向電極３２とは絶縁スル必要がある。
【００３５】
このように、配向制御電極３６を設けることで、等電位面（電気力線）を確実に制御して、液晶の配向をそろえることができる。
【００３６】
特に、図１のような形状の配向制御電極３６によって、表示エリアが基本的に４つのエリアに分割されて、それぞれ別々の方向に液晶２０の配向が制御されて、広視野角の表示が達成できる。
【００３７】
また、各電圧は、次のように設定することもできる。
［数２］
（ｉ）（Ｖｐ−Ｖｃ）と（Ｖｐ−Ｖａ）の符号は反対。
【００３８】
例えば、（Ｖｐ−Ｖｃ）が＋４．５Ｖの時、（Ｖｐ−Ｖａ）が−１Ｖである。この設定によると、表示電極１２から配向制御電極３６に至る電界が生じ、液晶の配向が制御される。
【００３９】
また、図５には、他の構成例を示す。この例では、対向電極３２がパターニングされており、上述した図１の配向制御電極３６と同様の開口を有している。すなわち、画素毎にＹ字と逆Ｙ字を上下方向に接続した形状の開口を有している。そして、対向電極３２の開口の背面側に絶縁膜３４を介し配向制御電極３６が形成されている。なお、この例では絶縁膜３４は、配向制御電極３６上を覆って全面に形成されており、平坦化能力の高いアクリル樹脂系の有機膜などが好適である。
【００４０】
このような構成によれば、対向電極３２の開口のエッジから配向制御電極３６に至る電界が生じる。これによって、単に開口を設ける場合より、積極的に液晶２０の配向を制御することができる。
【００４１】
ここで、１行に対し容量ライン２本設け、この２本の容量ラインの電圧を反対の極性で１フレームごとに反転する形式が好適であり、以下にこの構成について説明する。
【００４２】
図６に、この容量ラインを２本設ける実施形態の概略構成を示す。画素回路１は表示領域全体にマトリクス配置されている。マトリクス配置は、完全な格子状ではなく、ジグザグ状でもよい。また、表示は、モノクロでもフルカラーでもよく、フルカラーの場合通常画素はＲＧＢの３色であるが、必要に応じて白を含む特定の色の画素を追加することも好適である。
【００４３】
１つの画素回路１は、図に示すように、データラインＤＬにドレインが接続されたｎチャネルの画素ＴＦＴ１１０と、この画素ＴＦＴ１１０のソースに接続された液晶素子１１２および保持容量１１４を有している。画素ＴＦＴ１１０のゲートには、各水平走査ライン毎に配置されるゲートラインＧＬが接続されている。
【００４４】
液晶素子１１２は、画素ＴＦＴ１１０のソースにその画素毎に個別に設けられる画素電極が接続され、この画素電極に対し、液晶を挟んで全画素共通の共通電極が対向配置されて構成されている。なお、共通電極は、共通電極電源Ｖｃに接続されている。
【００４５】
また、保持容量１１４は、画素ＴＦＴ１１０のソースを構成する半導体層を延長した部分がそのまま一方の電極となり、酸化膜を介して対向形成された容量ラインＳＣの一部が対向電極になっている。なお、保持容量１１４の電極になる部分を画素ＴＦＴ１１０の部分と切り離して別の半導体層として、両者をメタル配線で接続してもよい。
【００４６】
ここで、容量ラインＳＣは、１行（水平走査ライン）に対し、ＳＣ−Ａ、ＳＣ−Ｂの２本があり、水平走査方向において、各画素回路の保持容量がＳＣ−Ａ、ＳＣ−Ｂに交互に接続されている。この図に示した画素回路では、保持容量１１４は、容量ラインＳＣ−Ａに接続されており、隣の画素の保持容量１１４が容量ラインＳＣ−Ｂに接続されている。
【００４７】
ゲートラインＧＬには、垂直ドライバ１２０が接続されており、この垂直ドライバ１２０が、ゲートラインＧＬを１水平期間毎に順次１本ずつ選択してＨレベルにする。垂直ドライバ１２０は、シフトレジスタを有しており、１垂直走査期間の開始を示す信号ＳＴＶを受け、シフトレジスタの１段目をＨレベルとし、その後例えばクロック信号によってＨレベルを１つずつシフトすることで、各水平走査ラインのゲートラインＧＬを順次１本ずつ選択してＨレベルにする。ここで、例えばゲートラインＧＬのＨレベルはＶＤＤ電位であり、ＬレベルはＶＳＳ電位であり、これら電源電圧ＶＤＤ、ＶＳＳが垂直ドライバ１２０に供給され、これによって垂直ドライバの出力であるゲートラインＧＬのＨレベル、Ｌレベルが設定される。
【００４８】
ＳＣドライバ１２２は、２つの電圧レベルを２つの保持容量ラインＳＣ−Ａ、ＳＣ−Ｂに出力する。
【００４９】
なお、図示は省略してあるが、表示装置には、例えば水平ドライバも設けられており、入力されてくるビデオ信号のデータラインＤＬへの線順次の供給を制御する。すなわち、この例では、画素毎のビデオ信号のクロックに応じ、画素毎のサンプリングクロックを水平ドライバが出力し、このサンプリングクロックによって、スイッチをオンオフして１水平走査ライン分のビデオ信号（データ信号）をラッチする。そして、ラッチした１水平走査ラインの各画素についてのデータ信号を１水平走査期間にわたって、データラインＤＬに出力する。
【００５０】
なお、実際にはビデオ信号は、ＲＧＢの３種類あり、垂直方向の各画素は、Ｒ、Ｇ、Ｂのいずれか１つの同一色の画素になっている。そこで、データラインＤＬには、ＲＧＢのいずれか１色のデータ信号が設定される。
【００５１】
そして、本実施形態の装置では、ドット反転方式のＡＣ印加方式を採用している。すなわち、水平走査方向の各画素（ドット）では、液晶素子１１２の画素電極に印加する電圧が、共通電極の電圧Ｖｃに対し極性が反対のデータ信号として印加される。
【００５２】
図７の左側に示したのは、第１の極性によるデータ信号であり、Ｖｖｉｄｅｏと書いた三角形の斜辺が、輝度に応じたデータ信号（書き込み電圧）を示している。データ信号は、黒レベルから白レベルまでがＶｂの電位差（ダイナミックレンジ）であり、電圧シフト後に画素電極に印加される電圧は、Ｖｃを中心として電圧が離れた方が白、近い方が黒になっている。従って、この例では、黒レベルがＶｃ−Ｖｂ／２、白レベルがＶｃ＋Ｖｂ／２となっている。また、隣接画素では、図７の右側に示したように、第１の極性とは反対の第２の極性になっており、黒レベルがＶｃ＋Ｖｂ／２、白レベルがＶｃ−Ｖｂ／２となっている。
【００５３】
そして、図８に示すように、画素ＴＦＴ１１０へのオン期間が終了しデータの書き込みが終了した後、容量ラインＳＣ−Ａ、ＳＣ−Ｂが所定電圧ΔＶｓｃだけシフトする。この例では、液晶としてノーマリブラックの垂直配向（ＶＡ）タイプのものが使用されている。図７の左側の画素については、容量ラインＳＣ−Ａが接続されており、ＶｓｃはΔＶｓｃだけ電圧を高い方向にシフトされる。また、図７の右側の画素については、容量ラインＳＣ−Ｂが接続されており、ＶｓｃはΔＶｓｃだけ電圧を低い方向にシフトされる。
【００５４】
これによって、図８に示すように、画素電極に印加されたデータ信号は、ΔＶｓｃに応じた電圧だけシフトされ、これがＶｃとの間に印加されることになる。ここで、ΔＶｓｃは、液晶の印加電圧に応じた透過率の変化が開始されるしきい値電圧Ｖａｔｈに対応した電圧に設定されており、シフト後の電圧によって、液晶素子１１２による表示が可能となる。また、データ信号のダイナミックレンジは、シフト後のダイナミックレンジが表示における黒レベルから白レベルの電位差となるように設定される。
【００５５】
なお、図７において、Ｖａ（Ｗ）は、白レベルのデータ信号のシフト量、Ｖａ（Ｂ）は黒レベルのデータ信号のシフト量であり、これらシフト量はΔＶｓｃによって決定される。また、Ｖｂはデータ信号の黒レベルと白レベルの電位差（ダイナミックレンジ）、Ｖｂ’はシフト後のダイナミックレンジである。
【００５６】
このような回路において、図８に示すように、容量ラインＳＣ−Ａ、ＳＣ−Ｂの波形に同期して、配向制御電極３６の電圧を変更する。これによって、表示電極１２の電圧に応じて、配向制御電極３６への印加電圧を制御することができる。
【００５７】
すなわち、容量ラインＳＣ−Ａが特定に１行の奇数番目の画素に接続される場合において、その画素については参照電圧ライン４０ａを接続し、対向電極３２電圧Ｖｃに対しては同極性にする。これによって、上述の数１に示したような制御を行うことができる。
【００５８】
一方、容量ラインＳＣ−Ａが特定の１行の奇数番目の画素に接続される場合において、その画素については参照電圧ライン４０ｂを接続し、対向電極３２の電圧をＶｃに対しては異極性にする。これによって、上述の数２に示したような制御を行うことができる。
【図面の簡単な説明】
【００５９】
【図１】実施形態に係る液晶表示装置の配向制御電極の配置を示す平面図である。
【図２】図１におけるＡ−Ａ断面図である。
【図３】参照電圧ラインの電圧などを示す図である。
【図４】画素毎の極性を示す図である。
【図５】他の実施形態を示す断面図である。
【図６】２つの容量ラインＳＣ−Ａ、ＳＣ−Ｂを有する画素回路の構成を示す図である。
【図７】図６の回路の動作を説明する図である。
【図８】図６の回路における電圧変化のタイミングを示す図である。
【図９】液晶の配向状態を示す図である。
【符号の説明】
【００６０】
１０  ＴＦＴ基板、１２  表示電極、１４，３８  配向膜、２０  液晶、３０  対向基板、３２  対向電極、３４  絶縁膜、３６  配向制御電極、４０ａ，４０ｂ  参照電圧ライン、１１２  液晶素子、１１４  保持容量、１２０  垂直ドライバ、１２２  ＳＣドライバ。
【図１】
2007033575.tif 000003
【図２】
2007033575.tif 000004
【図３】
2007033575.tif 000005
【図４】
2007033575.tif 000006
【図５】
2007033575.tif 000007
【図６】
2007033575.tif 000008
【図８】
2007033575.tif 000009
【図９】
2007033575.tif 000010
【図７】
2007033575.tif 000011